(57)【要約】【課題】特定遊技状態になると入賞領域が上昇して意外性と共に驚きが伴い遊技の興趣を格段に向上させることができるパチンコ遊技機の表示装置を提供する。【解決手段】遊技盤３面に設けられた窓枠体２２と、窓枠体２２後側の箱体１８内に設けられ電気的駆動源２６により可動して窓枠体２２の窓孔２７を開閉する変動表示器２３と、誘導棚８３と入賞領域３４とが形成され箱体１８内に配置されて電気的駆動源２６により昇降する昇降部材８２と、開閉手段５７により開閉し窓枠体２２に設けられ昇降部材８２の誘導棚８３と連通する誘導通路９４と、を備える。常態では変動表示器２３により窓孔２７が塞がれ昇降部材８２が下降し、開閉手段５７により誘導通路９４を塞いでいる。変動表示器２３が可動すると、窓孔２７が開かれ昇降部材８２が上昇し開閉手段５７により誘導通路９４を開けパチンコ球が昇降部材８２の誘導棚８３を遊動しつつ入賞領域３４に誘導される。【選択図】図２０
2011031093.tif 000002
【特許請求の範囲】
【請求項１】
遊技盤面に遊技者が視認できるように設けられ窓孔を開設した窓枠体と、
前記窓枠体の後側の箱体内に設けられると共に電気的駆動源により可動して前記窓孔を開閉しかつ前面に数字，文字，図柄等の表示記号を変動表示する変動表示器と、
パチンコ球が遊動する誘導棚と該パチンコ球が入賞する入賞領域とが形成され前記箱体内に配置されて電気的駆動源により昇降する昇降部材と、
開閉手段により開閉し前記窓枠体に設けられ前記昇降部材の誘導棚と連通する誘導通路と、を備え、
常態では前記変動表示器により前記窓孔が塞がれると共に前記昇降部材が下降位置にあり、前記開閉手段により前記誘導通路を塞いでおり、
前記変動表示器が可動することにより前記窓孔が開かれると共に前記昇降部材が所定の位置に上昇し、前記開閉手段により誘導通路を開け前記遊技盤面を流下し前記誘導通路に入賞したパチンコ球が前記昇降部材の誘導棚を遊動しつつ前記入賞領域に誘導されるようにしたことを特徴とするパチンコ遊技機の表示装置。
【発明の詳細な説明】
【技術分野】
【０００１】
本発明は、遊技盤の遊技領域に設けられるパチンコ遊技機の表示装置に関するものであって、特に所定の遊技条件により開放する入賞領域を備えた表示装置に関するものである。
【背景技術】
【０００２】
一般に、パチンコ遊技機の多くは遊技領域の中央に中央役物として種々の数字，文字，図柄等の表示記号を変動可能に表示する変動表示器を有する表示装置が設けられ、その下方に位置して始動入賞口が設けられている。そして、遊技領域の最下部に一度に多くの入賞球を発生させる変動入賞装置が装着されている。上記構成のパチンコ遊技機は、前記始動入賞口にパチンコ球が入賞することを条件に前記可変表示部の表示図柄が変動し、その停止したときの表示図柄が予め決められた所定の組合わせになったとき、遊技者にとって有利となる特別遊技状態となり前記変動入賞装置の開閉扉が開閉し、一度に多くの入賞球を発生させることができるように変動するようになっている。
【０００３】
ところで、近年遊技興趣の向上のために前記可変表示装置の表示形態が複雑となり可変表示部自体が大型化しつつあり、遊技盤面の遊技領域における可変表示装置の占める割合がスペース的にかなり大きくなってきている（例えば、特許文献１参照。）。
【先行技術文献】
【特許文献】
【０００４】
【特許文献１】特開平１０−２７７２２１号公報
【発明の概要】
【発明が解決しようとする課題】
【０００５】
このように、遊技領域での可変表示装置の占める割合が多くなると、変動入賞装置等の他の盤面部品を配設する余裕が少なくなり、デザインまたは興趣に関係なく配置位置が限定されてしまうという問題があり、結果的に変動入賞装置の小型化が求められていた。しかし、変動入賞装置は、パチンコ球の流下に対して直交するように開口した球入口を閉塞するように扉板が設けられているため、その小型化には限度がある。
【０００６】
また、変動入賞装置は遊技領域の下方に位置して目立たず、最近では遊技内容を示すスペック等によりその一部が隠蔽されて存在感のないものとなっていた。つまり特定遊技状態において前記球入口を開放するものの、扉板は通常の遊技状態において単に球入口を閉塞するのみであり何の変化も働きもしておらず、使用態様が限られたものとなり従来の態様に飽きられ遊技者の興趣を惹きつけることができないというのが現状である。また、遊技者は大当り時において、開放した球入口の入球状況を確認するために視線を下方に移動しなければならず、可変表示装置の凝った表示画面を見逃すこともあり、その視線の移動も遊技者にとって煩わしいものとなっていた。さらに、表示画面に集中してしまうと、ともすると球詰り等により継続入賞口に入賞していないのに気付かないまま「パンク」して大当り動作が終了してしまい、遊技者が損害を被るという問題があった。
【０００７】
また変動表示器は、遊技盤上に固定的に設けられ、単に図柄変動による表示機能を備えているに過ぎず、使用態様が限られたものとなって、遊技内容を盛り上げるには動的な変化がなくマンネリ化して面白さに欠けるという問題点があった。そこで、本発明は上記課題を解決すべくしてなされたもので、その目的は中央役物の大型化を可能とし、変動表示器を移動可能に設けるようにして、変化に富み、遊技者の興趣を高めるような新規な表示装置を提供することである。
【課題を解決するための手段】
【０００８】
かかる目的を達成するため、請求項１記載の発明は、遊技盤面に遊技者が視認できるように設けられた窓枠体と、前記窓枠体の後面に設けられ数字，文字，図柄等の表示記号を変動表示する変動表示器と、前記変動表示器を可動させる電気的駆動源と、前記窓枠体の後側でありかつ前記変動表示器の下方に設けられる入賞領域とを備え、前記入賞領域は常には前記変動表示器により閉鎖され該変動表示器が可動することにより遊技盤面を流下するパチンコ球が該入賞領域に入賞するようにしたことを特徴とし、前記電気的駆動源を駆動して前記変動表示器を可動させて入賞領域を出現させて入賞可能とした。このようにすることで、従来の変動入賞装置を含めて遊技機の主要部を遊技盤のほぼ中央に集約することができるため、遊技盤面を有効に使用することができ可変表示部の大型化に対応できると共に、遊技者は遊技に集中することができる。前記電気的駆動源はソレノイドまたは正逆転可能なモータ等であり、所定条件により駆動して前記変動表示器を可動するようにした。
【０００９】
また、「変動表示器」とは、液晶表示の他にセグメント表示，ドット表示またはドラムが直接回動するドラム表示等が含まれる。また、「入賞領域」とは、ここに入ったパチンコ球が入賞球として処理される領域を意味する。前記変動表示器の可動形態は回動式またはスライド式等が例示されるがこれらに限定されるものではなく種々な態様が可能である。
【００１０】
第２の発明は、遊技盤面に遊技者が視認できるように設けられた窓枠体と、前記窓枠体の後面に設けられ数字，文字，図柄等の表示記号を変動表示する変動表示器と、前記変動表示器を可動させる電気的駆動源と、前記窓枠体の底辺部に遊技盤面を流下するパチンコ球が転入するように設けられた誘導棚と、前記誘導棚の後側に設けられる入賞領域とを備え、前記入賞領域は常には前記変動表示器により閉鎖され該変動表示器が可動することにより前記誘導棚上を転動したパチンコ球が該入賞領域に誘導されるようにしたことを特徴とし、常態では前記変動表示器により入賞領域を閉塞して誘導棚の上面をパチンコ球が遊動し、遊技者は視覚的に楽しむことができ、遊技者の興趣を強く惹きつけることができる。
【００１１】
第３の発明は、第２の発明において、前記電気的駆動源により変動表示器を傾動可能に設けると共に、前記誘導棚の前端部を前記窓枠体に軸支して該誘導棚を前傾状又は後傾状に可動するように設け、常態では前記誘導棚は前傾状に支持され、前記変動表示器が傾動するのに伴い該誘導棚は後傾して該誘導棚上に転入したパチンコ球が入賞領域に誘導されるようにしたことを特徴とし、前記変動表示器の上部を軸支して傾動自在に設け該変動表示器が前記入賞領域を閉塞する状態ではパチンコ球が誘導棚上を遊動して遊技盤側に放出され、前記変動表示器が可動して入賞領域の開放時には前記誘導棚が後傾して該誘導棚上を転動するパチンコ球を入賞領域に導くことができる。
【００１２】
第４の発明は、請求項１の発明と第２乃至３の発明のいずれかに記載の発明において、前記変動表示器を複数に分割して形成したことを特徴とし、それぞれの変動表示器を電気的駆動源により可動可能に設けることで、変動表示器の多様な態様を楽しむことができる。
【００１３】
第５の発明は、第４の発明において、前記変動表示器を複数に分割して形成し、そのうちのいずれか１つの変動表示器により閉鎖される入賞領域に特別入賞口を設け、前記変動表示器が可動して入賞領域が開放され前記特別入賞口にパチンコ球が入賞したことを条件に該変動表示器が復動して特別入賞口への入賞が阻止されるようにしたことを特徴とし、変動表示器の可動により特別入賞口への入賞率を規制することができる。
【００１４】
また、第６の発明は、遊技盤面に遊技者が視認できるように設けられ窓孔を開設した窓枠体と、前記窓枠体の後側に設けられると共に可動して前記窓孔を開閉しかつ前面に数字，文字，図柄等の表示記号を変動表示する変動表示器と、前記変動表示器を可動させる電気的駆動源と、前記窓枠体の後側に設けられる入賞領域と、前記遊技盤面を流下するパチンコ球を受け入れて前記入賞領域に導く誘導通路と、前記変動表示器と連動して前記誘導通路を開閉する開閉手段とを備え、常には前記変動表示器が前記窓孔を塞ぐと共に前記開閉手段により前記誘導通路を塞ぎ、また、前記変動表示器が可動することにより前記窓孔が開放されると共に前記開閉手段により前記誘導通路を開放して前記入賞領域に前記パチンコ球が入賞し得るようにしたことを特徴としている。そして、この場合も、従来の変動入賞装置を含めて遊技機の主要部を遊技盤のほぼ中央に集約することができるため、遊技盤面を有効に使用することができ可変表示部の大型化に対応できると共に、遊技者は遊技に集中することができる。また、変動表示器を上端部で軸着すると共に後方へほぼ９０度可動すなわち回動するようにすれば、変動表示器が本来固定的に設けられているという固定観念が覆され、遊技者に意外性を与える。しかも、この状態で、入賞領域を恰もステージが上がるように上昇させれば、意外性と共に驚きが伴い遊技の興趣を格段に向上させることができる。
【００１５】
第７の発明は、遊技盤面に遊技者が視認できるように設けられた窓枠体と、前記窓枠体の後面に設けられ数字，文字，図柄等の表示記号を変動表示する変動表示器と、前記変動表示器を可動させる電気的駆動源と、前記窓枠体の後側でありかつ前記変動表示器の下方に設けられる入賞領域と、遊技状態の制御を行う遊技制御基板とを備え、前記入賞領域は常には前記変動表示器により閉鎖され、前記変動表示器の表示態様が前記遊技制御基板により予め定められた特定表示態様となったことを条件に該変動表示器を可動させて遊技盤面を流下するパチンコ球が入賞領域に入賞するようにしたことを特徴とする。また、前記窓枠体の底辺部に遊技盤面を流下するパチンコ球が転入するように設けられた誘導棚を設けるのが好ましく、常態では誘導棚上を転動したパチンコ球は遊技盤側に放出され、変動表示器が可動することにより前記誘導棚上を転動したパチンコ球が入賞領域に誘導されるようにするのがよい。
【００１６】
前記誘導棚はパチンコ球を不規則に転動させる転動部と、パチンコ球を所定方向に誘導させる誘導部とを有するのがよく、パチンコ球の動きを楽しむことができる。
【００１７】
前記変動表示器の表面を保護する保護板を設けるのが好ましい。
【００１８】
前記入賞領域を開放する状態において、遊技盤面を流下するパチンコ球を捕捉して前記入賞領域に入球し易いようにする入賞補助手段を設けるのが好ましい。入賞補助手段は、偏心位置で誘導棚側に傾斜するガイドバーであり、球荷重により傾動するように設けるのがよい。また、入賞補助手段は、ワープ通路に設けられる翼片であり、電気的駆動源または前記ワープ通路を通過するパチンコ球により開閉動作を行うようにするのがよい。
【００１９】
また、前記変動表示器の表示を変動させる始動入賞口を前記誘導棚の下方に位置して設け、前記誘導棚の表面を遊動したパチンコ球を前記始動入賞口に向って放出するようにして該始動入賞口に入賞しやすくするのがよく、遊技者により興趣を持たせることができる。
【００２０】
また、前記入賞領域の底部を透光性樹脂により形成して、その下方にランプ，ＬＥＤ等の光源を配設して入賞領域内部を照射して、幻想的な演出をするのがよい。なお、前記ランプ，ＬＥＤ等の光源は異なる色彩を発色し得るものが好ましく、または異なる色彩を発色する複数の光源を配設するのがよい。
【００２１】
さらに、入賞領域に普通入賞口と特別入賞口とを設け、特別入賞口への入賞を条件に前記光源を変色させるか点灯または消灯するのが好ましく、その色彩の変色または明暗により特別入賞口への入賞を遊技者に認識させることができる。ここでいう「特別入賞口」とは特に入賞領域が複数ラウンド開閉する特別遊技状態において、該「特別入賞口」に入賞したことを条件に次のラウンドに進むことができる入賞口である。
【発明の効果】
【００２２】
本願発明によれば、変動表示器を可動させることで入賞領域が出現するようにしたので、遊技に意外性をもたせて遊技者の興趣を増大させることができる。また、遊技者の視線が集中する表示装置に入賞領域が形成されるので、遊技者は遊技に専念することができ、しかも遊技領域を有効に利用して中央役物を大型化することができる。さらに誘導棚により通常時はパチンコ球が自由に遊動して、特別遊技状態時には該誘導棚によって入賞領域にパチンコ球を導くようにしたので、常に誘導棚を転動するパチンコ球の遊動を楽しむことができ、遊技が興趣に富む。特にパチンコ遊技はパチンコ球を視覚的に追いかけながら楽しむものであるから、パチンコ球の動きに大きな変化をもたせることは、遊技者の興趣を強く惹きつけることができ、遊技の興趣を高める上で極めて重要な効果を奏し、遊技者は遊技の面白味を充分満喫することができる。
【図面の簡単な説明】
【００２３】
【図１】パチンコ遊技機の正面図である。
【図２】パチンコ遊技機の裏面図である。
【図３】表示装置の斜視図である。
【図４】可変表示部を作用した状態の表示装置の斜視図である。
【図５】表示装置の正面図である。
【図６】図５の平断面図である。
【図７】図５の側面図である。
【図８】図６のＸ−Ｘ線断面図である。
【図９】誘導棚の他の実施例を示す要部断面図である。
【図１０】他の実施例の表示装置の正面図である。
【図１１】図１０の平断面図である。
【図１２】図１０の側面図である。
【図１３】図１１のＹ−Ｙ線断面図である。
【図１４】他の実施例の表示装置の正面図である。
【図１５】他の実施例の表示装置の正面図である。
【図１６】他の実施例の表示装置の斜視図である。
【図１７】他の実施例の表示装置の要部斜視図である。
【図１８】同表示装置の斜視図である。
【図１９】同表示装置の正面図である。
【図２０】同表示装置の一部を切り欠いた斜視図である。
【図２１】同表示装置の作用を示す側面断面図である。
【図２２】同表示装置の作用を示す側面断面図である。
【発明を実施するための形態】
【００２４】
以下、本発明の最良の実施の形態に係るパチンコ遊技機の表示装置を図面と共に説明する。図１は本発明の表示装置を備えたパチンコ遊技機の正面図であり、図において、１はパチンコ遊技機の機枠、２は前記機枠１の前面に開閉自在に装着される前面枠で、前記前面枠２には取付枠を介して遊技盤３が着脱自在に装着されている。前記前面枠２の前面に前記遊技盤３が臨むガラス扉枠４と打球供給皿５を装着した前面板６とがそれぞれ開閉自在に蝶着されている。また、打球供給皿５の下方には該打球供給皿５の余剰球を貯留する余剰球受皿７が設けられ、その側方に打球発射用の操作ハンドル８が配設されている。
【００２５】
また、前面枠２の裏面には図２に示すように機構板１１が着脱自在に設けられ、該機構板１１には球タンク６８をはじめとして賞球及び貸球を払出す球払出装置６９等の裏機構部品が配設され、該球払出装置６９から払出されたパチンコ球を前記打球供給皿５及び余剰球受皿７に導くようにしている。また、機構板１１の下方には入賞球集合樋７１が設けられ、該入賞球集合樋７１の後面に遊技状態の制御を行う遊技制御基板７０が設けられている。
【００２６】
前記遊技盤３の前面にはガイドレール１０が敷設され、該ガイドレール１０により遊技領域３ａが形成される。そして、遊技領域３ａの略中央に本発明に係る中央役物としての表示装置９が設けられ、該表示装置９の直下に可動片１５ｂ、１５ｂを備えたチューリップ型の始動入賞口１５が設けられている。また、遊技領域３ａにはセンサ１３ａを備えた通過チャッカー１３および一般入賞口１４等の入賞口や、打球の流下方向を変える風車１６および障害釘１７を配設すると共に、前記ガイドレール１０の内側下端部に前記入賞口１４，１５に入賞しなかったパチンコ球を排出するアウト口１９が設けられている。前記始動入賞口１５は後述する変動表示器２３の図柄を変動させる入賞口であり、電気的駆動源（図示せず）により可動片１５ｂ、１５ｂを開閉可動し、内部には入賞球を検出する入賞球検出器１５ａが設けられる公知的な入賞口である。
【００２７】
前記表示装置９は、図３乃至図８に示すようにパチンコ遊技機のゲームの主体を構成する種々の数字，文字，図柄等の表示記号を変動表示し得る液晶ディスプレイ型の変動表示器２３が可動自在に設けられ、該変動表示器２３の前面に遊技盤３面を流下するパチンコ球が流入しかつ遊技者が視認できる凹室２１を備えた窓枠体２２が設けられ、該凹室２１に連通して箱体１８を設けている。前記窓枠体２２は遊技盤３の表面に取付ける取付板２０を有し、凹室２１の後方に形成した窓孔２７を介して前記変動表示器２３の可変表示部２９を視認可能としている。前記変動表示器２３は、透光性を有する保護板２８を介して可変表示部２９としての液晶表示板とバックライトとで構成されており、前記箱体１８の上部に上端を軸支４１して電気的駆動源としての正逆モータ２６の駆動により下端が揺動するように配設している。そして、一方の支軸４１に小径ギア４２を固着し、該小径ギア４２に噛合する大径ギア４３を正逆モータ２６のモータ軸２６ａに固着して、前記モータ２６の駆動により変動表示器２３が揺動するようにしている。前記変動表示器２３は、前記遊技制御基板７０により制御される所定条件により正逆モータ２６の駆動によって可動し、常態ではほぼ起立して後述する入賞領域３４を閉塞する位置で静止している。なお、前記正逆モータ２６は発光素子と受光素子とからなる光学式センサによって所定位置に回転制御するのが好ましい。また、変動表示器２３は箱体１８に組み付けられているため、組立の作業性がよく保管管理も簡便となる。なお、変動表示器２３に接続する配線は、図示を省略するが変動表示器２３が可動し得るある程度の遊びを有して遊技制御基板７０に接続される。また、前記変動表示器２３は液晶表示に限定されるものではなく、セグメント表示，ドットマトリクス表示またはドラムが直接回動するドラム表示等であってもよい。
【００２８】
さらに、前記取付板２０の上部に遊技盤３の前面側に突出して飾り部材３０が設けられている。前記飾り部材３０には７セグメントの普通図柄表示部３１が設けられ、前記通過チャッカー１３の通過信号により該普通図柄表示部３１の図柄が変動し、該図柄が「７」等の所定図柄の表示となることにより前記始動入賞口１５の可動片１５ｂ、１５ｂが所定時間開閉動作を行う。また、前記普通図柄表示部３１の両側に前記始動入賞口１５に入賞し記憶された保留球数を表示する入賞記憶表示部３２が設けられ、前記変動表示器２３の可変表示部２９の変動中に始動入賞口１５に入賞した球数を記憶表示する。この実施例において入賞記憶表示部３２はＬＥＤ等の点灯により表示して、最高４個まで記憶するようにしている。なお、変動表示器２３の図柄変動は、所定時間経過後又は打球供給皿５に設けられる図柄停止ボタン１２の操作により時間を短縮して停止される。なお、図柄停止ボタン１２の設置場所は限定されるものではなく、遊技者が任意に操作し得る場所であればよい。
【００２９】
また、前記凹室２１の底辺部を誘導棚２５として、パチンコ球を不規則に転動させる緩やかな円弧状の転動部２５ａと、パチンコ球を所定方向に誘導させる誘導部２５ｂとからなり、実施例において誘導部２５ｂは前記始動入賞口１５にむかって下傾する凹溝状に形成されている。そして、転動部２５ａは緩やかに後方に下傾すると共に誘導部２５ｂ側にも下傾し、誘導部２５ｂのみが前方に下傾しており、常態で誘導棚２５にパチンコ球が転入すると、変動表示部２３側に沿って転動部２５ａを遊動しながら誘導部２５ｂから遊技盤３に放出される。なお、誘導部２５ｂは複数設けるようにしてもよい。
【００３０】
前記誘導棚２５の後方には入賞領域３４が形成され、前記入賞領域３４には特別入賞口３５と普通入賞口３６とを開設して、その間の底部３４ａを特別入賞口３５側に位置する稜線を介して山型状に形成し、入賞領域３４に入賞したパチンコ球が前記特別入賞口３５および普通入賞口３６のいずれかに流入するようにしている。そして、それぞれの入賞口３５，３６に着脱自在に設けられた検出器３５ａ，３６ａによって入賞したパチンコ球を検出するようにしている。また、前記入賞領域３４の底部３４ａを透光性樹脂により形成し、その下方にＬＥＤ等の光源５６を配設して底部３４ａを照射するようにしている。なお、前記特別入賞口３５に閉鎖板等の規制手段を設けたり、特別入賞口３５と普通入賞口３６間の底部３４ａを傾動自在としたりして、パチンコ球が１個でも特別入賞口３５に入賞したことを条件に閉鎖板で特別入賞口３５を閉塞したり、底部３４ａを普通入賞口３６側に傾動させるようにして以後入賞するパチンコ球を普通入賞口３６へ入球させるようにしてもよい。
【００３１】
３７，３７は前記取付板２０に設けられた入賞補助手段としてガイドバーであり、該ガイドバー３７は凹室２１の両側に位置して設けられ、それぞれ凹室２１側に傾動するように偏心位置で軸支している。そして、軸支位置より外側に球荷重が掛かると図５鎖線に示すように可動するようにしている。前記ガイドバー３７は、通常はパチンコ球の流下により変動して遊技者に興趣を抱かせ、遊技盤３面を流下するパチンコ球を誘導棚２５に向って導き始動入賞口１５への入賞を促す役割をなす。なお、前記ガイドバー３７は、上面が取付板２０側に傾斜してパチンコ球を誘導棚２５に向って導かせるものであって、必ずしも可動式である必要はない。
【００３２】
上記構成の表示装置９は、モータ２６が停止して変動表示器２３が入賞領域３４を閉塞した第一状態のとき、遊技盤３の遊技領域３ａに打ち込まれたパチンコ球が、障害釘１７等により跳ねたり前記ガイドバー３７により凹室２１に転入して誘導棚２５の上面に導かれると、パチンコ球は前記誘導棚２５上面の転動部２５ａを左右に自由に遊動して遊技領域３ａに再度放出されるか誘導部２５ｂに移動して下方に位置する始動入賞口１５に向って放出される。このとき、誘導棚２５上のパチンコ球は、前記変動表示器２３の前面に沿って遊動するが、該変動表示器２３の前面は保護板２８によって保護されているため可変表示部２９が傷つくことはない。また、前記入賞補助手段としてのガイドバー３７は、遊技盤３面を流下するパチンコ球により傾動動作を行い遊技者に興趣をもたせる。そして、誘導棚２５を遊動して再度遊技盤３に放出されたパチンコ球が、運良く前記始動入賞口１５に入賞すると入賞球検出器１５ａにより検出されて、球払出装置６９から入賞球１個に相当する所定数（例えば５個）の賞球が打球供給皿５に払出されると共に、変動表示器２３の可変表示部２９に表示された数字，文字，図柄等がランダムに変動する。そして、所定時間経過後又は図柄停止ボタン１２の操作により任意で停止させて可変表示部２９の変動が止まり、予め設定された数字，文字または図柄（例えば「７，７，７」等のゾロ目）で停止したことを条件に一気に入賞球を獲得する特定遊技状態となる。なお、前記始動入賞口１５には、当然のことながら遊技盤３面を流下するパチンコ球も直接入球し得る。
【００３３】
前記特定遊技状態になると、前記モータ２６が図７矢印方向に回転駆動して変動表示器２３がギア４２，４３の噛合により、図８鎖線に示すようにモータ２６の回転方向と逆方向に約１０°回転して、入賞領域３４を開放する第二状態となる。そして、遊技盤３面を流下するパチンコ球が凹室２１に飛入すると誘導棚２５で転動して、誘導棚２５の傾斜により入賞領域３４に導き入賞させる。このとき前記入賞補助手段としてのガイドバー３７により、遊技盤３面を流下するパチンコ球を誘導棚２５側に誘導して入賞率を高め、一気に多量のパチンコ球が入賞するようにしている。このように入賞したパチンコ球は、特別入賞口３５または普通入賞口３６のいずれかに導かれ、前記変動表示器２３を一定時間経過するまでの間、または所定個数（例えば１０個）の入賞球を入賞球検出器３５ａ，３６ａが検出するまでの間傾動して入賞領域３４を開成し、前記入賞球検出器３５ａで入賞球を検出したことを条件に、モータ２６を正逆転させて変動表示器２３を所定回数（例えば１５ラウンド）連続して可動して入賞領域３４の開閉動作を繰り返す。そして、所定回数終了後にモータ２６を逆回転させて変動表示器２３を入賞領域３４が閉塞するほぼ垂直位置に復動させ、以後誘導棚２５上面を遊動するパチンコ球は遊技盤３面に放出されることになる。なお、特定遊技状態となって変動表示器２３が傾動して入賞領域３４を開放させるが、例え変動表示器２３が傾動しても可変表示部２９の表示が見難くなることはなく、遊技者は誘導棚２５を転動するパチンコ球の動きを楽しみながら、可変表示部２９の表示も楽しむことができる。また、誘導棚２５の一部を遊技領域３ａ内に臨むように前方に突出させて、ガイドバー３７に受けられるパチンコ球を該誘導棚２５に導きやすくするようにしてもよい。
【００３４】
なお、前記光源５６を特別入賞口３５への入賞を起因として変色するようにして、遊技者に色彩により特別入賞口３５への入賞を報知するようにしてもよい。従来特別入賞口３５への入賞を遊技者が直接見て確認したり可変表示部２９で表示したりしていたが、特別入賞口３５への入賞が次のラウンド継続の必須条件であるために、通常では特別入賞口３５に入賞しないことはほとんどないため、遊技者は特に意識することがなく、稀に球詰り等によって特別入賞口３５に入賞していないのを確認しきれずにいわゆる「パンク」させてしまい、次のラウンドに進むことができず遊技者に多大な損失をもたらすことがあった。しかし、色彩の変化により報知するようにすることにより、特別入賞口３５への入賞が一目瞭然となり、特に一気に多量の入賞球を発生させる入賞領域３４が遊技盤３のほぼ中央にあることから、より自然に遊技者の視野に入り認識することができ、変色していない場合には遊技者は「パンク」しないように特別入賞口３５への入賞を目指すことができる。また、色彩においても「パンク」の危険を示す「赤」から安全を示す「青」に変色させることでイメージ的にも認識しやすくすることができる。なお、特別入賞口３５と一般入賞口３６とを設けることなく、いずれか一方の入賞口に検出器を設けて、継続及び計数機能を兼ね備えるようにしてもよい。
【００３５】
このように、中央役物としての表示装置９の変動表示器２３を可動させることにより、入賞領域３４が出現するようにしたので、表示装置９の大型化にも対応することができる。また、従来入賞球を集合させる集合樋が入賞球を一気に発生させる変動入賞装置の裏面下方に位置していたため、「大当り」によって多量の入賞球が発生すると、賞球の払出しが追いつかず入賞球が集合樋から溢れて変動入賞装置の開閉動作に支障をきたしていたという不具合をも解消することができる。また、入賞領域３４を閉塞した状態であっても表面をパチンコ球が遊動する誘導棚２５を、入賞領域３４が開放した際には該入賞領域にパチンコ球を誘導させることができ、常に遊技者はパチンコ球の動きを楽しむことができ、興趣を高めることができる。さらに、表示装置９近傍に始動入賞口１５等の遊技関連部品を集中させることができることから、アウト口１９を遊技領域３ａの下方に幅広く設けることができ、従来発生していたアウト口１９での球詰り等を防止する副次的効果を奏することができる。また、変動表示器２３を入賞領域３４にパチンコ球が入賞しない程度に可動させて、リーチ予告等の予告手段として利用するようにして、従来表示されていたのを遊技者に動きによりリーチ予告等を認識しやすいようにしてもよい。
【００３６】
また、前記誘導棚２５は、図９に示すように前端部を窓枠体２２に軸支して前傾状又は後傾状に可動するように設けると共に、後端部を前記変動表示器２３の下縁部に設けられる支持片４０によって支持するようにしてもよい。前記誘導棚２５は、先端部をテーパー状のガイド面として、常態で前記支持片４０に支持されて略水平又は前傾斜しており、変動表示器２３の可動に伴い同図鎖線に示すように入賞領域３４に向かって後傾するようにしている。そして、変動表示器２３の復動に伴い、前記支持片４０が誘導棚２５の先端ガイド面と接触して、該誘導棚２５の後端を持ち上げるように復動する。５９は誘導棚２５の下動を規制する規制突起である。このように、誘導棚２５を前後方向に傾動可能に設けることで、常態では誘導棚２５に転入してきたパチンコ球を再度遊技盤３に放出させることができ、特別遊技状態では誘導棚２５に転入してきたパチンコ球を開放した入賞領域３４に確実に導き入賞球とすることができる。なお、誘導棚２５は必ず設けなければならないものではなく、凹室２１の底辺部に入賞領域３４を設け、変動表示器２３を取付板２０の開口に臨んで設けて常態で前記入賞領域３４を閉鎖するようにすればよい。
【００３７】
図１０乃至図１３は表示装置の他の実施例を示し、前記実施例と異なる点は主に電気的駆動源をソレノイド５０とした点と誘導棚２５にパチンコ球を導くワープ通路４８を設けた点であり同じ構成要素には同一符号を付して説明する。この実施例の表示装置９は、飾り部材３０に所謂ワープ入口４８ａが形成され、飾り部材３０内に前記ワープ入口４８ａに連通してワープ通路４８が形成されている。そして、ワープ通路４８は取付板２０を貫通して、終端が凹室２１の側壁下方に開設されかつ誘導棚２５の両側方に位置するワープ出口４８ｃと連通しており、前記ワープ入口４８ａから流入したパチンコ球を前記ワープ出口４８ｃから誘導棚２５上面に流出させて遊動するようにしている。なお、ワープ通路４８の少なくとも前面側を透光性樹脂により形成して、パチンコ球の流下が視認できるようにするのが好ましい。
【００３８】
また、この実施例の変動表示器２３は、電気的駆動源としてソレノイド５０の励磁によって前後方向に揺動させて入賞領域３４を開閉するようにしている。前記変動表示器２３は支軸４１，４１により揺動自在に軸支され、該変動表示器２３の両側下方に軸ピン４４，４４を突設し、該軸ピン４４，４４のそれぞれにリンク部材５２，５２を介装してソレノイド５０，５０のプランジャ５３，５３と連繋している。具体的にはソレノイド５０は前記箱体１８の側面に設けられ、ソレノイド５０のプランジャ５３に作動部材５４が装着され、該作動部材５４にリンク部材５２の一端が連繋されている。前記リンク部材５２は中間部よりやや上方を箱体１８の側壁に軸支５１してソレノイド５０の励磁方向と変動表示器２３の揺動方向を逆にすると共にソレノイド５０の僅かな吸引動作で入賞領域３４が開閉し得るようにしている。
【００３９】
前記ソレノイド５０が消磁した常態では、図１１及び図１２に示すようにスプリング５５の付勢によりプランジャ５３が突出し、変動表示器２３がほぼ垂直に位置して入賞領域３４を閉塞するようにしている。そして、ソレノイド５０の励磁により図１２及び図１３鎖線に示すように、スプリング５５の付勢に抗してプランジャ５３が吸引されてリンク部材５２を回動し、それにともなって変動表示器２３が後方に傾動して入賞領域３４を開放する。
【００４０】
上記構成の表示装置９は、前記変動表示器２３が入賞領域３４を閉鎖している第一状態において、遊技盤３面を流下するパチンコ球がワープ入口４８ａに流入すると該パチンコ球はワープ通路４８を経由してワープ出口４８ｃから流出して誘導棚２５上面に導かれ転動部２５ａまたは誘導部２５ｂを自由に遊動する。そして、前記実施例と同様にパチンコ球が始動入賞口１５に入賞して可変表示部２９の表示が所定図柄となって大当り状態となると、前記ソレノイド５０が励磁して変動表示器２３が後方に傾動して入賞領域３４を開放する。この状態でワープ入口４８ａから流入したパチンコ球は、ワープ出口４８ｃから流出して入賞領域３４に導かれ特別入賞口３５または普通入賞口３６に入賞する。なお、ワープ通路４８から直接的に入賞するだけでなく、当然遊技盤３面を流下するパチンコ球が直接入賞領域３４に飛入することもある。
【００４１】
そして、ソレノイド５０の消励磁により変動表示器２３は所定回数（例えば１５回）連続して可動して入賞領域３４の開閉動作を繰り返し、大当り状態が終了するとソレノイド５０を消磁して変動表示器２３を入賞領域３４が閉塞する位置に復動させる。
【００４２】
なお、前記変動表示器２３の可動形態および可動方向は上記実施例に限定されるものではなく、例えば変動表示器２３を前後方向にスライドさせてもよく、また上下・左右方向へのスライドであってもよい。このとき、変動表示器２３を駆動する電気的駆動源は正逆モータであってもソレノイドであってもよい。また、誘導棚２５がワープ通路４８の底壁を兼用しており、常態ではパチンコ球が誘導棚２５の上面を遊動して遊技領域３ａに流下させ、大当り時にはパチンコ球は誘導棚２５の上面をパチンコ球が転動して入賞領域３４に入賞する。
【００４３】
さらに、図１４にワープ通路４８の一部を切り欠いて、入賞補助手段として電気的駆動源等の駆動源により開閉する翼片５７を設けており、大当り時に前記翼片５７を可動させてワープ通路４８にパチンコ球が流入しやすいようにして、同時に入賞領域３４に一気に入賞しやすくすることができる。また、前記変動表示器２３と前記翼片５７とをリンク部材等を介することにより連動して可動するようにするのが好ましく、一つの駆動源で変動表示器２３が入賞領域３４を開放すると同時に翼片５７を回動動作してワープ通路４８にパチンコ球を流入させるようにするのがよい。なお、通常時においても例えば遊技領域３ａへの打込球数と始動入賞口１５への入賞率を演算し、その結果が判別手段により所定の確率以下と判断したときに、ソレノイド等の駆動源を作動させて前記翼片５７を開放し、ワープ通路４８にパチンコ球を導き入れて誘導棚２５の誘導部２５ｂを介して下方に位置する始動入賞口１５に入賞しやすくするようにしてもよい。このようにすることで、障害釘１７の調整に頼らず遊技者の興趣を維持することができる。また、表示装置９の大型化により障害釘１７が少なくなることからも有効的なものとなる。なお、翼片５７を設ける位置は何等限定されるものではなく、飾り部材３０に開設されたワープ入口４８ａに隣接して設け、翼片５７の可動によりワープ入口４８ａの開口を広がるようにしてもよい。さらに、前記翼片５７の開閉動作は、電気的駆動源に限定されず所謂「チューリップ」のようにワープ通路４８を通過するパチンコ球によって開閉動作をするようにして、遊技状態に関係なく開閉するようにしてもよい。
【００４４】
図１５は取付板２０に前記通過チャッカー１３および始動入賞口１５を設けた実施例を示している。この実施例において、特に通過チャッカー１３は前記入賞補助手段としてのガイドバー３７の上方に設けられ、遊技盤３面を流下するパチンコ球を上方から受入れて、該パチンコ球を下方のガイドバー３７により誘導棚２５及び始動入賞口１５側に誘導させるようにするのが好ましい。このようにすることで、遊技機の主たる構成がすべて取付板２０を介して中央役物としての表示装置９に一体に設けられることになり、該表示装置９を大型化しても通過チャッカー１３および始動入賞口１５等の取着けを心配することもない。しかも、遊技者は視線を移動させることなく遊技盤３のほぼ中央に集中でき、パチンコ球の遊動を楽しみながら遊技を満喫することができる。また、表示装置９に遊技の関連構成を集約することで、当然のことながら表示装置９等の保管および取付作業が極めて容易となる。なお、この実施例の表示装置９はラック４５とピニオン４６の噛合により上下動するように設けられている。
【００４５】
また、誘導棚２５に遊動手段として転動部２５ａおよび誘導部２５ｂを設けたが、図１５に示すように該誘導棚２５に風車１６ａまたは障害ピン等を設けて、よりパチンコ球の遊動に変化を与えるようにして興趣あるものとしてもよい。このとき、風車１６ａは正逆モータにより回動させるようにしてもよく、常態と特別遊技状態とで正逆転させることで、パチンコ球を所定方向に導く誘導手段とすることができ、特に特別遊技状態においては、効率よく誘導棚２５のパチンコ球を入賞領域３４に導くことができる。
【００４６】
また、誘導棚２５に変動表示器２３に表示されるキャラクター等を立体化して、回動又は進退自在に設け、常態と特別遊技状態とで該キャラクターを可動させて、特別遊技状態においては該キャラクターにより誘導棚２５に転入したパチンコ球を入賞領域３４に導くように変動させるようにするのがよい。また、キャラクターの可動に伴って、可変表示部２９の表示を変化させるようにしてもよい。なお、ここでいう「キャラクター」とは人・動物のみならず、変動表示器２３の表示内容をイメージさせる乗物・道具等であってもよい。
【００４７】
図１６は表示装置のさらに他の実施例を示し、前記実施例と異なる点は凹室２１の底部に球遊動路６０が段状に設けられた点であり、他の同じ構成要素には同一符号を付して説明する。また、この実施例の変動表示器２３はラック４５とピニオン４６の噛合により上動させて、入賞領域３４が出現する。このとき、変動表示器２３がスムーズに上動するようにガイド手段を設けるのが好ましい。前記球遊動路６０は、誘導棚としての第一球遊動路６０ａと第二球遊動路６０ｂと第三球遊動路６０ｃとで段状に設けられ、第一球遊動路６０ａの両側にワープ出口４８ｃが位置している。前記第一球遊動路６０ａは、誘導棚としてほぼ中央を凹部とした波型に形成し、上面を緩やかな円弧状の転動部２５ａとして、該上面をパチンコ球が遊動するようにしており、頂部は後方に傾斜し谷部では前方に傾斜している。また、第二球遊動路６０ｂは前記第一球遊動路６０ａと同様に、ほぼ中央を頂部とした波型に形成され、谷部にパチンコ球を前方に放出させる溝状の球排出部６１を形成しており、該球排出部６１を除く前端縁に該第二球遊動路６０ｂ上面を転動するパチンコ球が途中で第三球遊動路６０ｃ側へ転がり落ちるのを阻止するリブ状の阻止片６２を設けて、前記球排出部６１からパチンコ球が放出されるようにしている。また、第三球遊動路６０ｃは、前記第二球遊動路６０ｂに比してより細かな波状に形成されて、ほぼ中央を山部としており、その正面壁にパチンコ球が１個入球し得る大きさの入球口６３が開設され、該入球口６３から入球したパチンコ球が、前記始動入賞口１５の直上に開設される流出口６４から流出して始動入賞口１５に入球しやすくしている。第三球遊動路６０ｃの谷部には、前記第二球遊動路６０ｂと同様に、遊技盤３面側に放出させる複数の球排出部６１が形成され、前記入球口６３に対峙する山部にはパチンコ球を前記入球口６３に誘導する案内溝６５が形成されている。
【００４８】
上記構成の表示装置９は、変動表示器２３が上動して入賞領域３４を閉塞した第一状態のとき、遊技盤３の遊技領域３ａに打ち込まれたパチンコ球が前記飾り部材３０のワープ入口４８ａ又は誘導部材５７と飾り部材３０との間隙から飛入して、ワープ通路４８を介して第一球遊動路６０ａに導かれると、パチンコ球は該第一球遊動路６０ａを左右に自由に遊動して、第二球遊動路６０ｂから第三球遊動路６０ｃに流落して、遊技領域３ａに再度放出されるか入球口６３に入球して球出口６４から下方に位置する始動入賞口１５に向って放出される。
【００４９】
次に特定遊技状態になると、前記正逆モータ２６が回転駆動して変動表示器２３がピニオン４６とラック４５の噛合により上動して、入賞領域３４を開放する第二状態となる。そして、前記飾り部材３０のワープ入口４８ａに飛入したパチンコ球が、ワープ通路４８を介して球遊動路６０に導かれ、入賞領域３４に誘導されて入球する。また、このとき、図示しない電気的駆動源により前記翼片５７を傾動させて、遊技盤３面を流下するパチンコ球を捕捉して、多くのパチンコ球を球遊動路６０に導いて入賞領域３４への入賞率を高め、一気に多量のパチンコ球が入球するようにしている。そして、所定回数終了後正逆モータ２６を逆転して、変動表示器２３を下動させて入賞領域３４を閉塞する所定位置に戻り、入賞領域３４への入球を阻止する。このとき、誘導部材としての翼片５７も駆動源の駆動により起立状態に復動する。なお、前記変動表示器２３を駆動する電気的駆動源を正逆モータ２６としたがソレノイドとしてもよい。
【００５０】
図１７は、変動表示器を複数に分割形成した実施例を示している。この実施例において、変動表示器２３を３個に分割形成して、それぞれを支軸４１に揺動自在に設けると共に、軸受部をギア４２として電気的駆動源としての正逆モータ２６に設けられる大径ギア４３と噛合させて、変動表示器２３ａ〜２３ｃが個々に可動し得るようにしている。そして、該変動表示器２３ａ〜２３ｃの下方に位置して入賞領域３４が設けられており、中央の変動表示器２３ｂの下方に特別入賞口３５が設けられ、両側の変動表示器２３ａ，２３ｃの下方に一般入賞口３６が設けられている。
【００５１】
次に、上記表示装置９の特別遊技状態の作用を図面を参照して説明する。変動表示器２３の表示が所定図柄となって特別遊技状態になると、図１７鎖線に示すようにすべての変動表示器２３ａ〜２３ｃが可動して全ての入賞領域３４を開放させる。そして、パチンコ球が誘導棚２５に転入すると入賞領域３４に導かれ、そのパチンコ球が特別入賞口３５に入賞すると中央の変動表示器２３ｂが復動して以後の特別入賞口３５への入賞を阻止する。そして、以後両側の入賞領域３４ａ，３４ｃにパチンコ球が入賞して所定個数に達すると、両側の変動表示器２３ａ，２３ｃが復動して一旦入賞領域３４を閉鎖する。以降特別入賞口３５への入賞を条件に同じ動作を所定回数繰り返す。このように、変動表示器２３ｂの可動により特別入賞口３５への入賞率を規制することができるので、従来のように入賞領域３４に予め特別入賞口３５への入賞率を規制する規制手段を別途設ける必要がなく、構造を簡単にすることができる。なお、変動表示器２３ａ〜２３ｃの動きは、遊技状態の制御を行う遊技制御基板７０により制御されている。当然のことではあるが、複数の変動表示器２３ａ〜２３ｃを設けても、少なくとも１つの変動表示器２３ａ〜２３ｃを可動させて入賞領域３４を開放させるようにすればよい。
【００５２】
また、前記変動表示器２３の作用として、前記実施例に限定されるものではなく、例えば特別遊技状態になると、先ず中央の変動表示器２３ｂが可動して入賞領域３４ｂを開放して、誘導棚２５からのパチンコ球が特別入賞口３５に入賞すると該中央の変動表示器２３ｂを復動させると共に、両側の変動表示器２３ａ，２３ｃを可動させて入賞領域３４ａ，３４ｃを開放して、誘導棚２５からのパチンコ球を所定個数に達するまで受入れるようにしてもよい。また、両側の変動表示器２３ａ，２３ｃの軸支方向をかえて、該変動表示器２３ａ，２３ｃが左右方向に回動するようにしてもよい。他に両側のいずれか一方から順次変動表示器２３ａ〜２３ｃを可動させて、所定個数（例えば２〜４個）入賞領域３４ａ〜３４ｃに入賞する毎に、次の変動表示器２３ａ〜２３ｃを可動させるようにして、変動表示器２３ａ〜２３ｃを順次可動させて入賞領域３４の大きさを変化させるようにしてもよい。また、当り図柄によって変動表示器２３ａ〜２３ｃの可動形態を変化させるようにしても、遊技者を楽しませることができる。このとき、変動表示器２３ａ〜２３ｃの可動形態に応じた画面表示として、当り図柄によって画面表示を変化させるようにしてもよい。さらに、変動表示器２３ａ〜２３ｃを上下左右又は前後に揺動又はスライドするものとを組合せて、変動表示器２３ａ〜２３ｃの動きに変化をもたせるようにして、遊技者の興趣を高めるようにしてもよい。なお、本願の主旨を逸脱しない限り他にも多種な組合せが考えられる。特に、変動表示器２３ａ〜２３ｃにＬＥＤを設けると共に、音・音楽に合わせて該変動表示器２３ａ〜２３ｃを可動させる制御手段（制御基板）を設けることで華やかさが増し、変動表示器２３ａ〜２３ｃの動きに変化をもたせることができ、遊技者は「大当り」の至福感を味わうことができる。このように、変動表示器２３を可動させて入賞領域３４を出現させるようにすることで、従来のように、ただ開閉扉が開放して入賞球を発生させる入賞装置と異なり、変動表示器２３に開閉扉の役割をもたせて、マンネリ化した表示装置９を打破して、遊技者の興趣を高めることができる。また、前記変動表示器２３ａ〜２３ｃの動きを組合せて、ラウンド毎に入賞領域３４の開放の仕方を変化させるようにすることができる。なお、この実施例で変動表示器２３を複数に分割形成するようにして、個々の変動表示器２３ａ〜２３ｃを可動させるようにしたが、変動表示器２３にかえて少なくとも１個をスピーカ又はキャラクター等を可動させるようにして、入賞領域３４を開放させるようにしてもよい。
【００５３】
また、前記翼片５７を上下に複数配設して、入賞領域３４への入球状況に応じて翼片５７の可動状態を変化させ、ラウンド中に所定時間経過しても入賞領域３４への入球状況が悪いときには、順次翼片５７を傾動させたり一気に傾動させたりするようにしてもよい。また、翼片５７をワープ通路４８に沿った大きさとして、正逆モータ等により傾動角度を任意に設定できるようにして、その開角度によりパチンコ球を受入れやすくして入賞領域３４の入球度合を調整するようにしてもよい。また、通常当り時と確変当り時とで翼片５７の傾動する位置及び個数を変化させるようにしてもよく、次の大当りが確実な確変当り時には一気に入賞領域３４に入球させて早くゲームを終了させ、次の大当りを狙うように多くの翼片５７を大きく傾動させるようにして、通常当り時には遊技者が長く大当りの雰囲気を味わうように限られた箇所の翼片５７を傾動させるようにすればよい。このとき、所定時間経過後に入賞領域３４に所定個数が入球してないときには、他の翼片５７を可動して確実に所定数の入球を得るようにするのが好ましい。
【００５４】
また、入賞領域３４は必ずしも変動表示器２３の下方に位置させるものではなく、変動表示器２３の上方に設けるようにしてもよい。このとき、ワープ通路４８の底壁を誘導棚２５として、通常はワープ入口４８ａから入球したパチンコ球を左右のワープ通路４８に振り分けるようにしている。そして、変動表示部２９の上部でワープ通路４８の後面を構成して、変動表示部２９は上下方向にスライドし得るように設けられる。好ましくは、変動表示部２３の上部に入賞領域３４を形成し、入賞領域３４に入賞したパチンコ球を変動表示器２３の周縁の傾斜に沿って入賞球集合樋７１へ導くようにすればよい。そして、特別遊技状態になると変動表示器２３が下動し、該変動表示器２３の上部に入賞領域３４を出現させる。ワープ入口４８ａから入球したパチンコ球は誘導棚２５の傾斜により入賞領域３４に導かれ、検出器３５ａ，３６ａにより所定個数の入賞球が検出されると変動表示器２３が一旦上動して入賞領域３４を閉鎖し、再度下動して入賞領域３４を開放する動作を所定回数繰り返す。このとき、ワープ通路４８は遊技者から視認し得るように、前面を透明板によって形成するのが好ましい。常態でも変動表示器２３が視認でき、該透明板を介して文字・図柄が視認でき、該表示部にはワープ通路より下方の表示部と異なる表示、例えば「がんばれ！」等簡単なメッセージを表示するようにしてもよい。
【００５５】
図１８乃至図２２も他の実施の形態に係る表示装置を示すもので、先の表示装置９とその外観は異なるものの構成はほとんど同じである。このため、先の表示装置９と同一部位は同一番号を附して詳しい説明は省略する。図１８は他の実施例の表示装置の斜視図、図１９は同表示装置の正面図、図２０は同表示装置の一部を切り欠いた斜視図、図２１、図２２は同表示装置の作用を示す側面断面図をそれぞれ示す。
【００５６】
この表示装置９は、窓枠体２２に凹室２１が成形されておらず、横長方形状の窓孔２７が開設されているにすぎない。そして、窓枠体２２の裏側に窓孔２７の裏側を囲うようにして箱体１８が設けられる。窓枠体２２の裏側であって箱体１８内に配設される変動表示器２３は、その上端両側を窓孔２７の上方であって箱体１８にそれぞれ支軸４１により軸着され、前後方向へ自在に可動すなわち回動するようになっている。また、前記支軸４１にギア８０が固着され、該ギア８０に噛合するギア８１が電気的駆動源である正逆モータ２６のモータ軸２６ａに固着されている。そこで、変動表示器２３は前記と同様に所定条件により正逆モータ２６の駆動によって前後に回動し、常態では、垂下した状態で停止し窓孔２７を塞いでおり、その前面の可変表示部２９に表示される数字、文字、図柄等の情報を遊技者が前記窓孔２７を介して見られるようになっている。
【００５７】
また、箱体１８内に入賞領域３４を有する昇降部材８２が配設される。入賞領域３４は窓孔２７のすぐ後側に位置し、該入賞領域３４の後側に誘導棚８３が成形されている。該誘導棚８３は、後方へ進むに従い除々に高くなる多段（この実施例では３段である。）の球遊動路８３ａ〜８３ｃから構成される。前記入賞領域３４は、その中央に特別入賞口８４ａが配置され、その両横にそれぞれ普通入賞口８４ｂ，８４ｂが配置されており、いずれも皿状に成形されると共に中央に透孔８５が開設される。また、各特別・普通入賞口８４ａ，８４ｂの下側には、それら入賞口８４ａ，８４ｂに入賞したパチンコ球を検出する検出器８６ａ，８６ｂが配設される。
【００５８】
前記上段の球遊動路８３ａは、その上面が前側へ少し下傾した比較的平坦な面に成形され、その上面をパチンコ球が左右に遊動しつつ前側縁から下方へ落下するようになっている。また、中段の球遊動路８３ｂは、その上面が長手方向に沿って進む凹凸波状に成形され、前記各特別入賞口８４ａ及び普通入賞口８４ｂ，８４ｂに対応位置させて前記球遊動路８３ｂの上面に前側へ下傾する球排出部８７ａ，８７ｂが凹設される。このうち、中央に位置する球排出部８７ａは他の球排出部８７ｂに比べ深く成形されている。中段の球遊動路８３ｂにおける上面の前端縁には、前記各球排出部８７ａ，８７ｂ部位を除いて上方へ突出しパチンコ球の落下を阻止する阻止片６２が設けられている。更に、下段の球遊動路８３ｃも、その上面が前記中段の球遊動路８３ｂの上面と同様に凹凸波状に成形され、前記各特別入賞口８４ａ及び普通入賞口８４ｂ，８４ｂに対応位置させて前側へ下傾する球排出部８８ａ，８８ｂが凹設される。
【００５９】
昇降部材８２の両側面には、ラック歯車８９がそれぞれ上下方向に配置され、該各ラック歯車８９に正逆モータ２６のモータ軸２６ａに固着されたピニオン歯車９０が噛合している。そこで、前記正逆モータ２６が駆動することにより、昇降部材８２が昇降し得るようになっている。前記変動表示器２３と昇降部材８２をそれぞれ可動させる正逆モータ２６，２６は遊技制御基板７０により電気的に制御される。
【００６０】
前記窓枠体２２の両側であって取付板２０に後記する誘導通路９４への入口である通路入口９４ａが開設される。取付板２０の前面には、各通路入口９４ａを囲うようにして球受部９１が設けられる。また、取付板２０の後側に前記各通路入口９４ａと連通する誘導通路９４が配設され、それら流下端が箱体１８の両側壁に開設されかつ前記昇降部材８２の上段に位置する球遊動路８３ａの上面に臨む各通路出口９４ｂに連通するようになっている。前記各球受部９１の外側に球入口９２が開設され、各球入口９２に支軸９３により下端部を軸着した開閉手段としての翼片５７が取着される。
【００６１】
図示は省略するが、前記各支軸９３は例えばソレノイドと連動して回動するようにする。そして、該ソレノイドが消磁しているとき各翼片５７は起立して前記球入口９２を塞いでおり、この状態では、各球受部９１内に遊技盤３面を流下するパチンコ球が入賞することはない。これに対し、ソレノイドが励磁すると、各翼片５７が外側へ回動して斜めに傾き各球受部９１を開放させる。これにより、遊技盤３面を流下するパチンコ球が各球入口９２に入賞し易くなる。ちなみに、各球入口９２に入賞したパチンコ球は、各誘導通路９４を流下して各通路出口９４ｂから上段の球遊動路８３ａ上面に導かれるようになっている。各ソレノイドも前記遊技制御基板７０により電気的に制御されるようにする。
【００６２】
次に、前記表示装置９の作用について説明する。まず、常態では、各正逆モータ２６が停止しており、変動表示器２３は図２１実線に示すように垂下して窓孔２７を塞いでいる。また、昇降部材８２は下降位置にある。更に、両側の各翼片５７は起立状態を保持しており、各球入口９２を塞いでいる。この状態で、遊技盤３面を流下するパチンコ球が、運良く前記始動入賞口１５に入賞すると入賞球検出器１５ａにより検出されて、変動表示器２３の可変表示部２９に表示された数字，文字，図柄等がランダムに変動する。そして、所定時間経過後又は図柄停止ボタン１２の操作により任意で停止させて可変表示部２９の変動が止まり、予め設定された数字，文字または図柄（例えば「７，７，７」等のゾロ目）で停止したことを条件に一気に入賞球を獲得する特定遊技状態となる。
【００６３】
前記特定遊技状態になると、図２１鎖線、図２２実線に示すように前記正逆モータ２６の駆動により変動表示器２３が後方へほぼ９０度回転して窓孔２７が開かれ、遊技者は該窓孔２７を介して箱体１８の内部が視認できるようになる。続き、両側の正逆モータ２６，２６が駆動して図２２実線に示すように昇降部材８２が所定の位置に上昇する。同時に、ソレノイドが作動して各翼片５７が外側へ回動して各球入口９２を開ける。これにより、遊技盤３面を流下するパチンコ球が各球受部９１に入賞し易くなる。
【００６４】
そして、前記各球受部９１に入賞したパチンコ球は、誘導通路９４を流下すると共に通路出口９４ｂを介して上段の球遊動路８３ａの上面に放出される。これら放出されたパチンコ球は、上段の球遊動部８３ａの上面をゆらゆらと遊動しながら中段の球遊動路８３ｂの上面に落下する。また、その上面を遊動していずれかの球排出部８７ａ，８７ｂから下段の球遊動路８３ｃ上面に落下し、同様にその上面をゆらゆらと遊動していずれかの球排出部８８ａ，８８ｂから入賞領域３４に達する。入賞領域３４に達したパチンコ球は、特別入賞口８４ａまたは普通入賞口８４ｂのいずれかに入賞する。このようにして、一定時間経過するまでの間、または所定個数（例えば１０個）の入賞球を検出器８６ａ，８６ｂが検出するまでの間、変動表示器２３を回動させたまま窓孔２７を開成し、前記検出器３５ａで入賞球を検出したことを条件に、正逆モータ２６を正逆転させ変動表示器２３を所定回数（例えば１５ラウンド）連続して回動して窓孔２７の開閉動作を繰り返す。この間、昇降部材８２も変動表示器２３の回動動作に連動して上昇または下降する。同時に、翼片５７も変動表示器２３の回動動作に連動して起立または傾動を繰り返す。
【００６５】
そして、所定回数終了後は正逆モータ２６を逆回転させて変動表示器２３を下方へ回動させて窓孔２７を塞ぎ、昇降部材８２も初めの位置に下降させる。また、両側の翼片５７が起立して各球入口９２が翼片５７により塞がれ、次の動作を待つことになる。
【００６６】
このように特定遊技状態になると、変動表示器２３が後方へ回動するので、奇抜であり遊技者に意外性を与える。しかも、入賞領域が上昇するので、意外性と共に驚きが伴い遊技の興趣を格段に向上させることができる。
【００６７】
また、この表示装置９も内部に入賞領域３４が備えられ、大型化できること勿論である。
【符号の説明】
【００６８】
３                  遊技盤
３ａ                遊技領域
９                  表示装置
２２                窓枠体
２３                変動表示器
２５                誘導棚
２５ａ              転動部
２５ｂ              誘導部
２６                正逆モータ（電気的駆動源）
２７                窓孔
２９                可変表示部（表示部）
３４                入賞領域
３５                特別入賞口
４８                誘導通路
５７                開閉手段（翼片）
５０                ソレノイド（電気的駆動源）
７０                遊技制御基板
【図１】
2011031093.tif 000003
【図２】
2011031093.tif 000004
【図３】
2011031093.tif 000005
【図４】
2011031093.tif 000006
【図５】
2011031093.tif 000007
【図６】
2011031093.tif 000008
【図７】
2011031093.tif 000009
【図８】
2011031093.tif 000010
【図９】
2011031093.tif 000011
【図１０】
2011031093.tif 000012
【図１１】
2011031093.tif 000013
【図１２】
2011031093.tif 000014
【図１３】
2011031093.tif 000015
【図１４】
2011031093.tif 000016
【図１５】
2011031093.tif 000017
【図１６】
2011031093.tif 000018
【図１７】
2011031093.tif 000019
【図１８】
2011031093.tif 000020
【図１９】
2011031093.tif 000021
【図２０】
2011031093.tif 000022
【図２１】
2011031093.tif 000023
【図２２】
2011031093.tif 000024